(57)【要約】【課題】脱塩素能力を有し、かつ保湿成分を添加することのできる、ハンドリング性に優れた浄水シャワーを提供する。【解決手段】脱塩素能を有する遊離アミノ酸を添加する手段を有する浄水シャワーは、遊離アミノ酸によって脱塩素を行うため、脱塩素と保湿成分の添加を同時に行うことが可能であり、ハンドリング性に優れた高性能な浄水シャワーとすることができる。また、脱塩素能を有する遊離アミノ酸が、ヒスチジン、リジン、アルギニン、フェニルアラニン、オルニチンの少なくとも１つであると、残留塩素との反応が速やかに行われるため、特に浄水シャワーとして効果的に用いることができる。【選択図】  図１
2004275961.tif 000002
【特許請求の範囲】
【請求項１】
脱塩素能を有する遊離アミノ酸を添加する手段を有する浄水シャワー。
【請求項２】
前記脱塩素能を有する遊離アミノ酸が、ヒスチジン、リジン、アルギニン、フェニルアラニン、オルニチンの少なくとも１つである請求項１に記載の浄水シャワー。
【請求項３】
非通水時には余圧により封止される添加剤添加口を有し、該添加剤添加口の下流側に管オリフィスを有する浄水シャワー。
【請求項４】
前記添加剤添加口は、通水時に、前記管オリフィスにより生じる前記余圧よりも大きな負圧により開口するものである請求項３に記載の浄水シャワー。
【発明の詳細な説明】
【０００１】
【発明の属する技術分野】
本発明は、一般家庭の浴室、洗面台や、理容院、美容院に設置され、髪及び身体を洗浄する目的で使用される浄水シャワーに関する。
【０００２】
【従来の技術】
一般家庭における入浴は、シャワーを使用した身体の洗浄がしばしば行われている。水道水に残留している残留塩素は、その臭いだけでなく、洗顔、洗髪又は入浴の際などには、肌を刺激したり、髪を傷めたりする原因となることが知られており、料理用又は飲料用の水だけでなく、入浴や洗顔用の水からも残留塩素を除去することが求められている。
【０００３】
このため、脱塩素剤を通水経路中に設けた浄水シャワーが提案され、実用化されてきている。脱塩素剤としては、例えば亜硫酸カルシウム（特許文献１参照）、活性炭素繊維（特許文献２参照）、アスコルビン酸（特許文献３参照）が提案されている。
【０００４】
また、冬期等の乾燥期には、肌表面が悪化しやすく、また個人の肌質によって悪化が顕著になる傾向があるため、保湿成分を含む各種化粧料を用いて、肌表面状態の悪化を防止することが一般的に行われている。
【０００５】
保湿成分の中で、天然の保湿因子（ＮＭＦ）としては、古くから、アミノ酸、乳酸類、尿素等が提唱され、化粧料等の配合成分としても着目されてきている。中でもアミノ酸はＮＭＦの組成中４０％を占めており、重要な成分の一つとなっている。
【０００６】
保湿成分は、化粧品や入浴剤に一般的に使用されている。また、シャワー中に保湿成分を添加することも知られている（特許文献４参照）。
【０００７】
しかしながら、特許文献４の浄水シャワーは、浄化のための濾材を別に設けているため、充分な浄化力を保ちつつ、保湿成分の添加を行うためには、シャワー装置が大型化してしまい、ハンドリング性が悪化するという懸念があった。
【０００８】
【特許文献１】
特願平１０−２２５０５４号公報
【特許文献２】
特開２０００−２７１０３３号公報
【特許文献３】
特開２００１−３００３５７号公報
【特許文献４】
特開２００１−１８６９９５号公報
【０００９】
【発明が解決しようとする課題】
本発明は、かかる懸念を解消するためになされたものであり、脱塩素能力を有し、かつ保湿成分を添加することのできる、ハンドリング性に優れた浄水シャワーを提供することを目的とする。
【００１０】
【課題を解決するための手段】
すなわち、本発明の第一の要旨は、脱塩素能を有する遊離アミノ酸を添加する手段を有する浄水シャワーである。
【００１１】
前記脱塩素能を有する遊離アミノ酸が、ヒスチジン、リジン、アルギニン、フェニルアラニン、オルニチンの少なくとも１つであると、脱塩素能力が高い。
【００１２】
本発明の第二の要旨は、非通水時には余圧により封止される添加剤添加口を有し、該添加剤添加口の下流側に管オリフィスを有する浄水シャワー、である。
【００１３】
前記添加剤添加口は、通水時に、前記管オリフィスにより生じる前記余圧よりも大きな負圧により開口するものであることが好ましい。
【００１４】
【発明の実施の形態】
以下本発明を、図面を基に説明する。
図１に、本発明の一実施例を示す外観図を示す。図２は、図１におけるアミノ酸カートリッジ４の近傍を拡大、模式化した断面図である。
原水供給口２より供給された原水は、シャワーヘッド１内を通過し、散水板３からシャワー水が得られるように構成されている。そして、アミノ酸カートリッジ４はシャワーヘッド１を同心円状に囲むように配設されている。
【００１５】
アミノ酸カートリッジ４には、脱塩素能を有する遊離アミノ酸が、水溶液として収納されている。
ここで、脱塩素能を有する遊離アミノ酸とは、水中の残留塩素と接触した直後に、残留塩素が有する酸化力を実質的に消失させることのできる遊離アミノ酸のことを意味する。
【００１６】
アミノ酸カートリッジ４からの遊離アミノ酸の添加は、図２に示したように、シャワーヘッド１側面にアミノ酸カートリッジ４と連結して設けられたアミノ酸添加口５より行われる。
【００１７】
アミノ酸添加口５は、非通水時には、バネによる余圧で封止されているが、通水時には、アミノ酸添加口５より上流側に管オリフィス６を設けているので、通水によって管オリフィス６より下流に負圧が生じ、バネの力を超えてアミノ酸添加口５が開口し、アミノ酸カートリッジ４中に充填された遊離アミノ酸が通水経路中に添加される。
【００１８】
また、アミノ酸カートリッジ４に設けられた空気口７には、空気中からの雑菌侵入によるアミノ酸の汚染を防止する為、０．４５μｍ以下の孔径を有し、空気は通過させるが水は通過させないフィルターが設けられている。フィルターは、疎水性の多孔膜、焼結体、不織布等任意のものを使用することが出来る。
【００１９】
水中の残留塩素を除去するためには、脱塩素能を有するアミノ酸のみによらず、亜硫酸カルシウム、活性炭素繊維等を併用することもできる。形態としては、図３に示したように、アミノ酸カートリッジ４の上流側のシャワーヘッド１の外周に、別の脱塩素カートリッジ８を設けてもよいし、図４に断面図を示したように、シャワーヘッド１の通水経路中に別の脱塩素カートリッジ８を設けてもよい。
【００２０】
ところで、原水から残留塩素を除去した状態でアミノ酸が添加された水が滞留すると、非使用時における細菌の繁殖が懸念される。しかし、本発明においては、アミノ酸添加口５は水圧が低下するとバネの力により封鎖されることから、水の流れが止まる前にアミノ酸添加口５が封鎖された状態で通水が行われることとなり、添加されたアミノ酸は洗い流されるため、細菌が繁殖することはない。
【００２１】
また、さらに、通水停止後の滞留水をより少なくする為、アミノ酸添加カートリッジ４の若干上の位置に、非加圧時に開き、加圧時に閉じる弁を設け、通水していない時にシャワーヘッド１内部の滞留水を抜く形としてもよい。また、アミノ酸添加後の滞留水をより少なくする為には、アミノ酸添加カートリッジ４を、通水経路のより下流側に配置することが好ましい。
また、上記の機構を利用して浴槽水給水用浄水器に配設し、風呂用浄水器として提供することも可能である。
【００２２】
以下に、遊離アミノ酸の脱塩素能に関する実験例を示す。
なお、実験は、以下の手順にて行った。
（１）濃度１０ｎｍｏｌ／ｍｌの遊離アミノ酸の溶液と、濃度２ｐｐｍの次亜塩素酸ナトリウム溶液を等量ずつ、スクリューキャップ付き試験管中で混合した。
（２）直ちに４０℃で１０分間保持し、１０分後の残留塩素濃度を測定した。
（３）１０分後に０ｐｐｍであったアミノ酸については、上記（１）、（２）の手順を再度繰り返した。この際、残留塩素濃度の測定は、混合直後、５分後、１０分後に実施した。結果を表１に示す。
【００２３】
【表１】
2004275961.tif 000003
【００２４】
脱塩素能を有する遊離アミノ酸としては、ヒスチジン、リジン、アルギニン、フェニルアラニン、オルニチンが添加直後から迅速な残留塩素分解能を有している。従って脱塩素能を有する遊離アミノ酸としては、これら遊離アミノ酸の中かから少なくとも１つを、単独又は複数種混合し、使用することが好ましい。
【００２５】
遊離アミノ酸は、先にも述べたように細菌による消費が著しいことから、残留塩素を除去された水の滞留による細菌の繁殖を回避するために、アミノ酸カートリッジ４を１回ずつの使いきりタイプとしてもよいが、パラベン等の防腐成分を添加して、細菌による消費を防ぐようすることがより好ましい。
【００２６】
アミノ酸カートリッジ４の遊離アミノ酸の存在形態としては、残留塩素除去効果が得られる形であれば特に限定されないが、通水経路中への有効且つ効率的な添加を考慮すると、溶液状態が好ましい。また、濃度としては通水経路中へ添加割合にもよるが、１μｍｏｌ／ｍＬ〜１００ｍｍｏｌ／ｍＬが好ましい。
【００２７】
このとき、残留塩素の除去に要するアミノ酸濃度より過剰量のアミノ酸を添加すると、残留塩素との反応に使用されなかったアミノ酸により濾過水に保湿効果を持たせることが出来る。
また、ヒスチジン、リジン、アルギニン、フェニルアラニン、オルニチン以外の遊離アミノ酸を、これらの遊離アミノ酸と混合して用いると、残留塩素との反応によって消費されないため、濾過水に保湿効果を持たせることが出来る。
【００２８】
さらに、遊離アミノ酸の他に、他の保湿剤、臭気除去剤、清涼剤、芳香剤等の薬剤を通水経路中に併設してもよい。これらの薬剤は、遊離アミノ酸と別々の容器に充填して用いてもよいし、使用する薬剤によっては、同一容器中に充填してもよい。また、粒状の亜硫酸カルシウムに添着してもよい。
【００２９】
遊離アミノ酸以外に用いられる保湿剤としては、使用時に少量の保湿剤が体内に摂取されることを考慮して、安全面で問題がないもので、かつ少量で十分な保湿効果が期待出来るものであればよく、例えば、桃の葉、アロエ、甘草、カミツレ等の植物エキス、ホホバオイル、スクワラン等の油脂類、米発酵エキス、フェルラ酸、米糠エキス等の米抽出物、ヒアルロン酸、コラーゲンなどが挙げられる。
【００３０】
臭気除去剤は、原水に含まれる不快臭の元であるジオスミン、２−メチルイイソボルネオール等のカビ臭を除去するものであり、活性炭、ジビニルベンゼン系ポリマー等が挙げられる。温水中で使用することを考慮すると、ジビニルベンゼン系ポリマーを使用するのが好ましい。
【００３１】
清涼剤は、夏期等の暑い時期等の入浴の際、爽快感を与えるものである。このような清涼剤としては、例えばメントール、炭酸水素ナトリウム、硫酸ナトリウム、ミョウバンなどが挙げられる。
【００３２】
上記芳香剤としては、アロマテラピーとしての美容、健康、精神的リラックス効果が期待できるものであればよく、例えば、ローズウッド、ジャスミン、ラベンダー等のハーブ系の植物から抽出されるエッセンシャルオイル等が挙げられる。
【００３３】
【発明の効果】
本発明の浄水シャワーは、遊離アミノ酸を添加することにより、保湿能を有するアミノ酸を使用して原水中に含まれる残留塩素を除去することが出来、入浴時の肌状態の維持に有効なシャワーの提供が可能となる。
【図面の簡単な説明】
【図１】本発明の浄水シャワーの一例を示す外観図である。
【図２】本発明の浄水シャワーのアミノ酸添加口の一例を模式的に示した縦断面図である。
【図３】本発明の浄水シャワーの別の一例を示す外観図である。
【図４】本発明の浄水シャワーのアミノ酸添加口の別の一例を模式的に示した縦断面図である。
【符号の説明】
１  シャワーヘッド
２  原水供給口
３  散水板
４  アミノ酸カートリッジ
５  アミノ酸添加口
６  管オリフィス
７  空気口
８  脱塩素カートリッジ
【図１】
2004275961.tif 000004
【図２】
2004275961.tif 000005
【図３】
2004275961.tif 000006
【図４】
2004275961.tif 000007